(57)【特許請求の範囲】
【請求項１】
高さが一定な非シート状原稿の高さ方向を主走査方向に対応させて光学的に読み取って画像データを出力する読取手段と、
前記読取手段で読み取った画像データを一時記憶する記憶手段と、
前記記憶手段に記憶された画像データの歪み領域幅を検出する歪み領域検出手段と、
前記原稿の形状により生じる複数の歪み領域幅のパターンを各サイズ原稿に対応させて予め登録しておく歪みパターン登録手段と、
前記歪み領域検出手段で検出された歪み領域幅を前記歪みパターン登録手段を参照して正しい歪み領域幅（Ｍ）を決定する歪み領域決定手段と、
前記歪み領域決定手段が決定した歪み領域幅に対応する前記記憶手段に記憶された画像データの領域に所定の補正を施す歪み補正手段とを有することを特徴とする画像形成装置。
【請求項２】
前記記憶手段に記憶された画像データの横幅（Ｌ）を検出する画像横幅検出手段と、
複数の前記原稿の高さに対応する標準的な原稿サイズに対応する原稿の横幅（Ｗ）を予め登録した原稿横幅登録手段と、
前記画像データの横幅と前記原稿横幅登録手段に登録された複数の原稿の横幅との差が最も小さい原稿の横幅を標準的な原稿の横幅（Ｗ）として決定する原稿サイズ決定手段と、
前記歪み領域決定手段で決定された歪み領域幅（Ｍ）を前記画像データの横幅（Ｌ）と前記標準的な原稿の横幅（Ｗ）に基づいて前記歪み補正手段が補正を施した画像データの領域を標準原稿サイズに補正された画像データの所定の領域にマッピングするマッピング手段を有することを特徴とする請求項１に記載の画像形成装置。
【請求項３】
前記歪み領域検出手段は、前記原稿における主走査方向と平行な原稿画像の中央部から左右の副走査方向へ順次検出した画像データのエッジの強さが所定の閾値を超え、且つエッジのピークを含む画素の領域幅を歪み領域幅として検出することを特徴とする請求項１または２に画像形成装置。
【請求項４】
前記歪み領域検出手段が検出する歪み領域幅は、原稿中央部の歪み領域幅と、前記原稿幅が基準の原稿幅より短くなる領域のマージン領域幅の２箇所からなることを特徴とする請求項１または３に記載の画像形成装置。
【請求項５】
前記マッピング手段は、補正後の画像データに対して、前記歪み領域決定手段で決定された歪み領域幅（Ｍ）を前記画像データの横幅（Ｌ）と前記標準的な原稿の横幅（Ｗ）を用いてＭ＋Ｗ−Ｌの長さにマッピングすることを特徴とする請求項２に記載の画像形成装置。
【請求項６】
高さが一定な非シート状原稿の高さ方向を主走査方向に対応させて光学的に読み取って画像データを出力する読取工程と、
前記読取工程で読み取った画像データを一時記憶する記憶工程と、
前記記憶工程に記憶された画像データの歪み領域幅を検出する歪み領域検出工程と、
前記原稿の形状により生じる複数の歪み領域幅のパターンを各サイズ原稿に対応させて予め登録しておく歪みパターン登録工程と、
前記歪み領域検出工程で検出された歪み領域幅を前記歪みパターン登録工程を参照して正しい歪み領域幅（Ｍ）を決定する歪み領域決定工程と、
前記歪み領域決定工程が決定した歪み領域幅に対応する前記記憶工程に記憶された画像データの領域に所定の補正を施す歪み補正工程とを有することを特徴とする画像形成方法。
【請求項７】
前記記憶工程に記憶された画像データの横幅（Ｌ）を検出する画像横幅検出工程と、
複数の前記原稿の高さに対応する標準的な原稿サイズに対応する原稿の横幅（Ｗ）を予め登録した原稿横幅登録工程と、
前記画像データの横幅と前記原稿横幅登録工程に登録された複数の原稿の横幅との差が最も小さい原稿の横幅を標準的な原稿の横幅（Ｗ）として決定する原稿サイズ決定工程と、
前記歪み領域決定工程で決定された歪み領域幅（Ｍ）を前記画像データの横幅（Ｌ）と前記標準的な原稿の横幅（Ｗ）に基づいて前記歪み補正工程が補正を施した画像データの領域を標準原稿サイズに補正された画像データの所定の領域にマッピングするマッピング工程を有することを特徴とする請求項６に記載の画像形成方法。
【請求項８】
前記歪み領域検出工程において、前記原稿における主走査方向と平行な原稿画像の中央部から左右の副走査方向へ順次検出した画像データのエッジの強さが所定の閾値を超え、且つエッジのピークを含む画素の領域幅を歪み領域幅として検出することを特徴とする請求項６または７に画像形成方法。
【請求項９】
前記歪み領域検出工程において検出する歪み領域幅は、原稿中央部の歪み領域幅と、前記原稿幅が基準の原稿幅より短くなる領域のマージン領域幅の２箇所からなることを特徴とする請求項６または８に記載の画像形成方法。
【請求項１０】
前記マッピング工程において、補正後の画像データに対して、前記歪み領域決定工程で決定された歪み領域幅（Ｍ）を前記画像データの横幅（Ｌ）と前記標準的な原稿の横幅（Ｗ）を用いてＭ＋Ｗ−Ｌの長さにマッピングすることを特徴とする請求項７に記載の画像形成方法。
【発明の詳細な説明】
【０００１】
【発明の属する技術分野】
本発明は、画像データに対して歪み補正を行う画像形成装置及び転写画像歪み補正方法に関し、特に、書籍や情報誌などの非シート状原稿を複写機などの光学読取装置を用いて画像データに変換する際、原稿のつなぎ部分で生じた転写画像歪みに対する自動補正機能を備えた画像形成装置及び転写画像歪み補正方法に関する。
【０００２】
【従来の技術】
従来、光学読取装置により原稿画像を光学的に読み取り、この読み取った原稿画像をハードコピーとして出力する際に、転写画像に歪みを有しないためには、光学読取装置における読み取り部の形状の関係で、原稿が紙シート状であり、かつ、完全に原稿テーブルに密着している原稿を読み取ることが前提となる。
【０００３】
ここで、一般的な光学読取装置による原稿と原稿テーブルとの接触の形態においては、図１に示されるように、原稿を原稿テーブルに載せ、読み取りスキャナを用いて、光学的に読み取りを行う。
【０００４】
ところが、この原稿が書籍、情報誌などのように非シート状原稿である場合、図１に示すように、原稿と原稿テーブルとの間に隙間が生じてしまう現象が存在する。
【０００５】
この場合、図１で示されている”歪み領域”では、原稿と原稿テーブルとの隙間において、スキャナから見て、原稿画像に歪みが存在する。また、原稿の膨らみにより、遮光圧板ユニットも完全に閉じることが不可能となるため、ハードコピーの出力データにおいて、原稿の歪みに対応する領域で画像歪みが生じる。
【０００６】
また、書籍や情報誌などは一般的にＪＩＳ紙サイズ標準規格に准じて作成されているため、原稿が歪むことにより、この歪んだ軸に対して垂直な方向で原稿幅が標準規格幅より短くなり、図１に示されたように、原稿に無関係のマージン領域も画像データとして読み取られる。これにより、出力ハードコピーの対応部分において、帯状の歪みが発生する問題を有する。
【０００７】
上記に示された問題により、原稿が紙シート状でなく、書籍や情報誌などのように非シート状原稿である場合、原稿画像データを忠実に再現する出力画像データを得ることが不可能となる。
【０００８】
また、従来、読み込んだ画像データに補正を行う技術として、以下のような技術が挙げられる。
【０００９】
先ず、従来技術１として、特開平８−２５１３８７号公報においては、原稿画像が傾いてセットされても自動的にその傾きのない状態に補正されたハードコピーが得られるディジタル複写機が開示されている。
【００１０】
本従来技術１によるディジタル複写機は、操作部により傾き補正モードなる処理モードを指定しておくことにより、原稿読取手段により光学的に読み取った原稿画像を光電変換した画像データに関して、傾き検出手段がその原稿画像の傾きを検出し、画像補正手段が検出された傾き量に基づき画像データを補正して出力手段に出力することで、傾きのない状態に補正されたハードコピーが得られるとしている。
【００１１】
しかしながら、本従来技術１においては、原稿をセットする際に生じる傾きを補正するものであり、原稿そのものの形状により生じる歪みを補正するには至らない。すなわち、傾きを補正する為にはその傾きの角度のみを検出し、この検出された傾きに応じた補正を行えばよいが、原稿そのものの歪みにより生じる読み込んだ画像データの歪みを補正する場合には、歪みの領域を検出し、さらにこの歪みがどの程度であるかを検出して、補正を行わなければならない。
【００１２】
また、従来技術２として、特開平８−３１７１９６号公報においては、モニタ表示画像における階調性を向上させ、細線や小さい点などの画像消去を排除するディジタルカラー複写機が開示されている。
【００１３】
本従来技術２によるディジタルカラー複写機は、原稿を光学的に読み取り、画像データとして出力するスキャナと、スキャナにより読み込んだ画像データに所定の画像補正および編集処理を施す画像処理部と、画像処理部により処理された画像データを記録紙に記録するプリンタとを備えたカラー画像形成装置において、スキャナからの画像データを入力し、この画像データのｎ×ｎ画素中の最大値を抽出して間引き画像に変換する変換部と、変換部により生成された間引き画像を記憶しておくメモリと、メモリに記憶されている間引き画像データを多値表示する表示パネルとを具備し、さらに読み込んだ画像データの座標を回転変換することにより、原稿方向と表示方向とが異なる場合でも、ユーザが期待する違和感のない方向の表示画像が得られるとしている。
【００１４】
しかしながら、本従来技術２においては、間引き画像データを多値表示することにより細線や小さな点などの画像が消去されるのを防ぐとともに、画像データを回転変換することにより、読み込んだ画像データを表示する際に、細線や小さな点などが見えなくなることを防止するための技術であり、本発明が解決せんとする原稿そのものの歪みにより生じる読み込んだ原稿画像データの歪みを補正するものではない。
【００１５】
また、従来技術３として、特開平９−１８５２２７号公報においては、原稿の厚さによる影、原稿輪郭の検知誤差、イレースコントロール誤差、転写紙と感光体像の整合誤差等を考慮して潜像消去し、原稿影のない良好な複写顔図を得ることが可能な複写機のイレース装置が開示されている。
【００１６】
本従来技術３による複写機のイレース装置は、原稿外の不要領域を消去する複写機のイレーサであり、イレーサに感光体上の不要領域の潜像を消去するＬＥＤアレイを備え、このＬＥＤアレイを原稿像書き込み装置と現像ユニットとの間に感光体の回転方向と垂直方向に横切って位置させ、原稿圧板の反射濃度を、原稿地肌反射濃度より濃く他の機械内部の反射濃度より淡くすることで、原稿輪郭検知センサにより、原稿圧板の反射濃度と比較して原稿台にセットされた原稿の位置と輪郭とを検知し、この原稿輪郭検知センサの原稿輪郭検知結果をもとに感光体上の潜像に対応してイレーサのＬＥＤの点滅を制御することにより、潜像を消去し、原稿影のない良好な複写画像を得るとしている。
【００１７】
しかしながら、本従来技術３においては、ＬＥＤアレイの点滅を制御することにより解決することが可能な問題は、原稿に凹凸がある場合の潜像画像であり、この技術は、上記従来技術１及び２と同様に原稿そのものの歪みにより生じる読み込んだ原稿画像データの歪みを補正するものではない。
【００１８】
また、従来技術４として、特開平９−２８４５５７号公報においては、複写機で金属等の光り物をコピーする場合において、反射光により生じるＣＣＤのオーバーフローによる画像の白抜けをなくす画像形成装置が開示されている。
【００１９】
本従来技術４による画像形成装置は、ＣＣＤにより原稿を読み取る際の白レベルと黒レベルとを予め設定することにより、ＣＣＤの出力を１０ビットのデータとしてディジタル化し、このデータのうち、８ビットまでを上記白レベルの設定値のビデオ信号とし、オーバーフローが検出されると上位２ビットの対象画素のデータを近傍の画素のデータを用いて画像補正回路１３４で補正することにより、反射光によるＣＣＤのオーバーフローを補正するとしている。
【００２０】
しかしながら、本従来技術４においても、上記従来技術１から３と同様に、原稿そのものの歪みにより生じる読み込んだ原稿画像データの歪みを補正するものではない。
【００２１】
【発明が解決しようとする課題】
以上のように、従来技術による読み込んだ画像データの補正は、すべてがシート状の原稿を読み込むことを前提とした補正の技術であり、非シート状の原稿による形状の歪みに依存する画像データの歪みを補正するための技術が確立されていないという問題が存在する。
【００２２】
本発明は、係る問題に鑑みなされたもので、セットされた原稿はシート状ものでないことより生じた画像歪みを自動的に補正し、適正な出力画像データが得ることが可能な画像形成装置及び転写画像歪み補正方法を提供することを目的とする。
【００２３】
係る目的を達成するために、請求項１記載の発明は、高さが一定な非シート状原稿の高さ方向を主走査方向に対応させて光学的に読み取って画像データを出力する読取手段と、前記読取手段で読み取った画像データを一時記憶する記憶手段と、前記記憶手段に記憶された画像データの歪み領域幅を検出する歪み領域検出手段と、前記原稿の形状により生じる複数の歪み領域幅のパターンを各サイズ原稿に対応させて予め登録しておく歪みパターン登録手段と、前記歪み領域検出手段で検出された歪み領域幅を前記歪みパターン登録手段を参照して正しい歪み領域幅（Ｍ）を決定する歪み領域決定手段と、前記歪み領域決定手段が決定した歪み領域幅に対応する前記記憶手段に記憶された画像データの領域に所定の補正を施す歪み補正手段とを有することを特徴とする。
【００２４】
また、請求項２記載の発明は、請求項１に記載の画像形成装置において、前記記憶手段に記憶された画像データの横幅（Ｌ）を検出する画像横幅検出手段と、複数の前記原稿の高さに対応する標準的な原稿サイズに対応する原稿の横幅（Ｗ）を予め登録した原稿横幅登録手段と、前記画像データの横幅と前記原稿横幅登録手段に登録された複数の原稿の横幅との差が最も小さい原稿の横幅を標準的な原稿の横幅（Ｗ）として決定する原稿サイズ決定手段と、前記歪み領域決定手段で決定された歪み領域幅（Ｍ）を前記画像データの横幅（Ｌ）と前記標準的な原稿の横幅（Ｗ）に基づいて前記歪み補正手段が補正を施した画像データの領域を標準原稿サイズに補正された画像データの所定の領域にマッピングするマッピング手段を有することを特徴とする。
【００２５】
また、請求項３記載の発明は、請求項１または２に画像形成装置において、前記歪み領域検出手段は、前記原稿における主走査方向と平行な原稿画像の中央部から左右の副走査方向へ順次検出した画像データのエッジの強さが所定の閾値を超え、且つエッジのピークを含む画素の領域幅を歪み領域幅として検出することを特徴とする。
【００２６】
また、請求項４記載の発明は、請求項１または３に記載の画像形成装置において、前記歪み領域検出手段が検出する歪み領域幅は、原稿中央部の歪み領域幅と、前記原稿幅が基準の原稿幅より短くなる領域のマージン領域幅の２箇所からなることを特徴とする。
【００２７】
また、請求項５記載の発明は、請求項２に記載の画像形成装置において、前記マッピング手段は、補正後の画像データに対して、前記歪み領域決定手段で決定された歪み領域幅（Ｍ）を前記画像データの横幅（Ｌ）と前記標準的な原稿の横幅（Ｗ）を用いてＭ＋Ｗ−Ｌの長さにマッピングすることを特徴とする。
【００２８】
また、請求項６記載の発明は、高さが一定な非シート状原稿の高さ方向を主走査方向に対応させて光学的に読み取って画像データを出力する読取工程と、前記読取工程で読み取った画像データを一時記憶する記憶工程と、前記記憶工程に記憶された画像データの歪み領域幅を検出する歪み領域検出工程と、前記原稿の形状により生じる複数の歪み領域幅のパターンを各サイズ原稿に対応させて予め登録しておく歪みパターン登録工程と、前記歪み領域検出工程で検出された歪み領域幅を前記歪みパターン登録工程を参照して正しい歪み領域幅（Ｍ）を決定する歪み領域決定工程と、前記歪み領域決定工程が決定した歪み領域幅に対応する前記記憶工程に記憶された画像データの領域に所定の補正を施す歪み補正工程とを有することを特徴とする。
【００２９】
また、請求項７記載の発明は、請求項６に記載の画像形成方法において、前記記憶工程に記憶された画像データの横幅（Ｌ）を検出する画像横幅検出工程と、複数の前記原稿の高さに対応する標準的な原稿サイズに対応する原稿の横幅（Ｗ）を予め登録した原稿横幅登録工程と、前記画像データの横幅と前記原稿横幅登録工程に登録された複数の原稿の横幅との差が最も小さい原稿の横幅を標準的な原稿の横幅（Ｗ）として決定する原稿サイズ決定工程と、前記歪み領域決定工程で決定された歪み領域幅（Ｍ）を前記画像データの横幅（Ｌ）と前記標準的な原稿の横幅（Ｗ）に基づいて前記歪み補正工程が補正を施した画像データの領域を標準原稿サイズに補正された画像データの所定の領域にマッピングするマッピング工程を有することを特徴とする。
【００３０】
また、請求項８記載の発明は、請求項６または７に画像形成方法において、前記歪み領域検出工程において、前記原稿における主走査方向と平行な原稿画像の中央部から左右の副走査方向へ順次検出した画像データのエッジの強さが所定の閾値を超え、且つエッジのピークを含む画素の領域幅を歪み領域幅として検出することを特徴とする。
【００３１】
また、請求項９記載の発明は、請求項６または８に記載の画像形成方法において、前記歪み領域検出工程において検出する歪み領域幅は、原稿中央部の歪み領域幅と、前記原稿幅が基準の原稿幅より短くなる領域のマージン領域幅の２箇所からなることを特徴とする。
【００３２】
また、請求項１０記載の発明は、請求項７に記載の画像形成方法において、前記マッピング工程において、補正後の画像データに対して、前記歪み領域決定工程で決定された歪み領域幅（Ｍ）を前記画像データの横幅（Ｌ）と前記標準的な原稿の横幅（Ｗ）を用いてＭ＋Ｗ−Ｌの長さにマッピングすることを特徴とする。
【００３９】
【発明の実施の形態】
以下、図面を参照し、本発明による画像形成装置及び転写画像歪み補正方法の一実施形態を詳細に説明する。
【００４０】
まず、図１を参照すると、従来、非シート状の原稿１０１を原稿テーブル１０２に接触させ画像データを読み込む場合、図に示されたように原稿１０１と原稿テーブル１０２との間に隙間が生じる。この隙間が生じた領域を歪み領域とすると、原稿テーブル１０２面から垂直に原稿１０１を見て、この歪み領域において、斜め方向から原稿を見ることとなるため、取り込んだ原稿画像データに歪みが生じる。
【００４１】
また、ＪＩＳ紙サイズ標準規格の原稿である場合、原稿１０１自体の歪みによりマージン領域が生じる。このマージン領域とは、非シート状の原稿１０１が図１に示すような書籍や情報誌などの場合、その背表紙となる部分での歪みにより、見掛け上、歪み領域においてページ間の谷線に対して垂直方向に縮小することにより、ＪＩＳ紙サイズ標準規格の原稿で期待される原稿サイズに対して生じる領域である。
【００４２】
上記のような非シート上原稿により生じる歪みを補正するために、本発明による画像形成装置及び転写画像歪み補正方法は、その一実施形態において、図２に示すような構成を有する。
【００４３】
図２は本発明による画像形成装置及び転写画像歪み補正方法をデジタル複写機に適用した一実施形態における構成を示すブロック図である。
【００４４】
図２を参照すると、本発明の一実施形態によるディジタル複写機は、原稿画像を読み取る読み取り部２０１と、この読み取った原稿画像データを記憶する入力画像メモリ２０２と、この原稿画像データに含まれる歪みを検出し、補正を施す処理を含む処理を実行する画像処理部２０３と、この補正された原稿画像データを出力する出力部２０４とを有して構成されている。
【００４５】
ここで、図３のフローチャート図を用いて、図２に示された一実施形態における動作の流れを詳細に説明する。
【００４６】
図３では、ステップＳ３０１において、読み取り部２０１により、原稿を露光し、ステップＳ３０２において、スキャナにより原稿からの反射光の強さを測定することで光電変換を実現する。これにより得られた原稿画像データを、ステップＳ３０３において、入力画像メモリ２０２に保存する。
【００４７】
そして、読み取り部２０１で得られた原稿画像データを画像処理部２０３に送る。画像処理部２０３では、この原稿画像データに基づいて、操作パネル２０５で定められた用紙サイズ、出力画像濃さ、出力枚数、補正モードの有無などの諸オプションを参照しながら、画像補正と画像加工処理とを行う。
【００４８】
この画像加工処理では、補正モードが規定される場合に、ステップＳ３０４において、歪み検出プロセスで歪み領域を検出し、ステップＳ３０５において、歪み補正プロセスで歪みに対する補正を行う。
【００４９】
この補正が施された原稿画像データを、ステップＳ３０６において、一時入力画像メモリに保持する。また、出力部２０４は画像処理部２０３から送られてきた加工完了の原稿画像データを受け取り、ステップＳ３０７において、レーザー書き込み技術および電子写真プロセスを用いて、実際に記録紙に記録する（ステップＳ３０８）。
【００５０】
図４は、図２で示された本実施形態の構成において、画像処理部２０３の歪み補正処理動作の流れをさらに詳細に示すフローチャート図である。
【００５１】
図４に示すように、操作パネル２０５設定された補正モードというボタンによりユーザに補正モードの有効・無効を設定させ、画像処理部２０３は、この設定によって補正の有無を判断する。ここで、画像処理部２０３は、非補正モードが設定された場合、補正を施さず、読み取った原稿画像データに対し平常方式の処理を行って出力部２０４より出力する。それに対し、補正モードが設定された場合、読み取った原稿画像データに対し以下のような補正を施し、出力部２０４より出力する。
【００５２】
以下、本発明の特徴である、画像処理部２０３における補正モードの処理について、図面を用いて詳細に説明する。
【００５３】
図１のように、原稿が書籍や情報誌などのように非シート状である場合、原稿のページ間の部分に曲がりが生じ、さらに遮光ユニットも完全には閉じられないため、原稿の真中の部分である歪み領域に当てる走査光は反射されなく、読み取った画像データのこの部分は黒となる。
【００５４】
加えて、ページ間の谷線に対して垂直な方向における原稿幅は、ＪＩＳ規格などにより決められた基準値より短くなるため、走査の一番右の部分であるマージン領域の走査光も同じように反射されなく、歪み領域と同様に黒くなる。
【００５５】
したがって、図５を参照すると、歪みパターンとしては、原稿において主走査方向と平行な取り込んだ原稿画像における中央線から副走査方向と平行に左右へ画像データのエッジの強さを調べていくことにより、左右両方において、はじめて所定の閾値を超えているエッジにおけるピークの線分に囲まれている領域を特定することにより求まる。この領域は、原稿中央の歪み領域であり、いわゆる、ページの接合による原稿の歪みを原因をする原稿画像データの歪み領域である。また、副走査方向に沿って見ていくと、右方向で２番目の上記線分と同様な線分により囲まれている領域も歪み領域である。ただし、この２番目の歪み領域は、マージン領域である。
【００５６】
従って、各サイズの原稿において、見開きの谷線である中央線から左、右への領域の広さと、最も右の余分に読み取られた歪み領域の広さとの３つの領域に対するリストを予め用意することにより、歪みパターンを決定することが可能となる。
【００５７】
この予め用意された３つの領域に対するデータを複写機システムに入力する。さらに、あらかじめ複写機システムに扱える出力記録紙のサイズ、つまり、縦と横の寸法をＪＩＳ紙サイズ標準規格に従って入力し、標準サイズ表として複写機で保持する。これにより、補正モードが設定された場合、以下のような処理を施すことが可能となる。
【００５８】
まず、読み込んだ原稿画像データにおける歪みの存在する領域を検出する。この処理としては、図５に示すように、読み取った原稿画像データにおいて、主走査方向両端に幅Ｓを設けて、幅Ｓの範囲内で副走査作方向に沿って繰り返して各画像画素に対して、隣接する画素に対する輝度の変化いわゆるエッジの強さを計算する。計算方法は以下に示す。
【００５９】
ここで、注目ピクセルの座標値は（ｉ、ｊ）で、輝度値はｐだとすれば、それに対応するエッジ値はｅ（ｉ、ｊ）として、計算のステップは以下のとおりとなる。
【００６０】
0003852247.tif 000002
【００６１】
上記（式１）に示されたエッジｅ（ｉ，ｊ）の計算によって、取り込んだ原稿画像データにおけるエッジマップを得ることができる。これにより、副走査線上においてエッジの閾値αを規定する。
【００６２】
この規定した閾値αを基に、読み取った原稿画像データ右端の各画素をそれぞれの副走査線のスタート点として、左方向（副走査線に逆している方向）へエッジマップを用いて、各画素のエッジの強さが閾値αを超過しているか否かを調べていく。
【００６３】
ここで、最初に現れたエッジ値が閾値αより大きく、かつピーク値を取る画素を原稿の右隅であると定義する。また、誤差を防ぐために、ピーク値を取るか否かの計算は、対象の画素を中心として左右隣接する画素三つを用いる。
【００６４】
副走査方向と平行な軸を横軸とし、全てピーク値を取る画素の中心点の横軸座標ｘを記録する。これにより、この座標ｘが元素となる一列行列を求める。ここで、図５において、副走査線の原点から座標ｘの最大値までの距離Ｌを原稿の長さとすることにより、Ｌの２分の１に対応する点が読み込んだ原稿画像データにおける中心点となる。
【００６５】
この中心点から、副走査線に沿って、左右へ広がっていくように各画素のエッジ値を調べ、左右において初めて閾値αを上回り、かつエッジのピークを含むことが検出されたピクセルに囲まれる領域は歪み領域だと判定する。
【００６６】
図５に示された読み込み原稿画像データの中で、網掛の部分は画像歪みが生じた部分である。一般的に、Ｓの値は、原稿幅の１０パーセントとしているが、本発明においては、これに限定されるものではない。
【００６７】
上記のように、左右において初めて閾値αを上回り、かつエッジのピークを含むことが検出されたピクセルに囲まれる領域は歪み領域だと判定することにより歪み領域を検出すると、次のステップで、原稿の取るべきサイズを推定し、出力画像のサイズを決定する。
【００６８】
ここで、操作パネルで出力紙サイズを指定した場合には、読み込み原稿の原稿サイズは指定した出力紙サイズと同等であるものと推定できる。しかしながら、出力紙サイズを指定しない場合には、図１、図４から分かるように、副走査方向で原稿の厚みにより縮小しているため、標準サイズＷより短くなっている。それに対し、主走査方向での原稿サイズＨは変形がないため、実際に読み込む原稿サイズは次の手順で推定する。
【００６９】
図５におけるＨを、読み込んだ原稿サイズの照合におけるベースとし、このベースとなるＨを、あらかじめ用意した複写機内蔵の標準サイズ表の各縦幅と照合する。ここで、許容誤差を１０パーセントに設定し、標準サイズ表の内、許容誤差範囲内に含まれる候補を全て抽出する。そして、この抽出された候補を用いて、実際に読み取った画像の横幅Ｌと候補の横幅とを比べて、差の最も小さいものを出力画像の推定標準横幅Ｗとする。
【００７０】
以上のような操作を行うことにより、出力する原稿画像のサイズはＪＩＳ標準紙サイズ規格に準ずるものに整合することが可能となる。
【００７１】
ここで、次のページを走査するときに、走査する距離はＬとすると、明らかに、歪みのレベルはＬとＷとの差によって反映される。すなわち、ＬとＷとの差が大きければ大きいほど歪みの範囲も広くなるということである。また、画像補正が必要であるか否かもこの差を基として決定することで適した判定が可能となる。例えば、ＬとＷとの差が５パーセント以上である場合、画像補正が必要であるとする。
【００７２】
以下、本発明である画像形成装置及び転写画像歪み補正方法の一実施形態による検出された画像歪みの補正法について図面を用いて詳細に説明する。
【００７３】
本実施形態による画像歪みの補正法としては、図６で示した図を用いて説明する。
【００７４】
図６において、読み取った画像データのページ接合部である中央線の部分で歪みが生じたため、画像データの副走査方向の長さは原稿の標準横幅より短くなっている。この原因としては、原稿のページ接合部である中央線の部分が縮まっている状態で読み取られるため、一番右の部分に実際の原稿画像データが入っていないからである。
【００７５】
従って、歪みが生じた背表紙の位置する領域を副走査方向に沿って拡大をすることで、原稿画像データの無い右端の余分に走査した領域を、実際の原稿画像データにより埋める。
【００７６】
すなわち、背表紙の位置する歪み領域の幅がＭだとすれば、テクスチャマッピングアルゴリズムを用いて、歪みが生じた幅がＭのデータをＭ＋Ｗ−Ｌの長さにマッピングする。これにより、マッピングされた原稿画像データの左端を歪み領域の左側に合わせて、読み取った画像データに挿入する。
【００７７】
上記の操作によって、歪みが合った真中の部分は補正され、余分に読み取った右端も実際の原稿画像データによりで充填することが可能となる。
【００７８】
【発明の効果】
以上、説明したように、指定部で処理モードとして、歪み補正モードを指定することにより、非シート状原稿による読み取られた画像データに歪みが存在しても、この歪み領域を自動検出し、歪みのない紙シートが設定されたときに近い状態に補正されたハードコピーを得ることが可能となり、コピー仕上がりの体裁を向上させることができる。
【００７９】
また、さらに、非シート状原稿画像による画像歪みパターンを外部からシステムへ入力することにより、画像データ歪み自動検出手段の動作において、歪みを検出するための元データ（リスト）を、規格化されたものに当てはめることが可能となる。
【００８０】
さらに、画像データ歪み自動検出手段により検出された歪みは閾値を超えているかを判定することで、歪みの有無を自動選択することが可能となり、誤った補正を防止することができる。
【００８１】
さらに、原稿読み取り手段で得られた原稿画像データにおいて、入力画像サイズをＪＩＳ標準規格に基づく推定を行うことで、出力画像のサイズをＪＩＳ標準規格に準ずるものに整合することが可能となる。
【００８２】
さらに、原稿読み取り手段で得られた原稿画像データ中の原稿領域の判定を行うことで、非原稿領域のデータ補間を行うことが可能となる。
【００８３】
さらに、原稿領域判定手段で算出された原稿領域に基づき、読み取りの走査範囲を調整することで、コピーのスピードを向上させることが可能となる。
【図面の簡単な説明】
【図１】原稿テーブル１０２上に置かれた原稿の形態を示す図である。
【図２】本発明による画像形成装置の構成を示すブロック図である。
【図３】本発明による画像形成装置の一実施形態における動作の流れを示すフローチャート図である。
【図４】本発明による画像形成装置の一実施形態における処理の流れを示すフローチャート図である。
【図５】原稿テーブルを介して読み取った原稿画像データの一例を示す図である。
【図６】本発明による画像形成装置の一実施形態における処理による補正の具体例を示した図である。
【符号の説明】
１０１  原稿
１０２  原稿テーブル
１０３  走査部
２０１  読み取り部
２０２  入力画像メモリ
２０３  画像処理部
２０４  出力部
２０５  操作パネル
【図１】
0003852247.tif 000003
【図２】
0003852247.tif 000004
【図３】
0003852247.tif 000005
【図４】
0003852247.tif 000006
【図５】
0003852247.tif 000007
【図６】
0003852247.tif 000008